(57)【要約】【課題】スタンドとして機能すると同時にカバーとしても機能する簡便な構造のカバーを備えた携帯電子機器を提供する。【解決手段】  外部入出力部を主面である第一面側に備え、第一面の背面側の第二面及び側面にわたって延設された開口部を有する筐体と、開口部の第二面側を覆う第一蓋部および開口部の側面側を覆う第二蓋部とからなる蓋部材とを備え、第一蓋部は、内面側に開口部の第二面側に係合する第一係合部と、外面側に開口部の第二面側に係合する第二係合部と、を有し、第一蓋部は、第一係合部が開口部に係合すると第二蓋部が開口部の側面側を覆う一方で、第二係合部が開口部に係合すると、筐体が開口部の側面側を底面として載置した際に、前記第一面と載置面とのなす角が直角よりも第二面側に傾いた状態で、前記第二蓋部が前記筐体を支持するよう構成されていることを特徴とする。【選択図】図１
2011071889.tif 000002
【特許請求の範囲】
【請求項１】
外部入出力部を主面である第一面側に備え、前記第一面の背面側となる第二面及び側面にわたって延設された開口部を有する筐体と、
前記開口部の第二面側を覆う略平板形状である第一蓋部、および前記開口部の側面側を覆う第二蓋部とからなる蓋部材と、を備え、
前記第一蓋部は、内面側に前記開口部の第二面側において着脱可能に係合する第一係合部と、外面側に前記開口部の第二面側において着脱可能に係合する第二係合部と、を有し、
前記第一蓋部は、前記第一係合部が前記開口部に係合すると前記第二蓋部が前記筐体の側面開口部を覆う一方で、前記第二係合部が前記開口部に係合すると、前記筐体が開口部側面側を底面として載置した際に、前記第一面と載置面とのなす角が直角よりも第二面側に傾いた状態で、前記第二蓋部が前記筐体を支持することを特徴とする携帯電子機器。
【請求項２】
前記第一蓋部の前記第二係合部は、前記第二蓋部と逆側に位置し、前記第二蓋部側の前記第一の蓋部より薄肉の突出部で形成されると共に、
前記開口部の第二面側周縁部に、前記第一蓋部に対して平行で、前記突出部が挿入可能な挿入部を有し、
前記第二蓋部は、前記突出部が前記挿入部に挿入されると、前記第一蓋部が前記開口部の第二面側を覆うことを特徴とする請求項１に記載の携帯電子機器。
【請求項３】
前記第一蓋部は、前記突出部を第一突出部として、前記第一蓋部の片側面に前記第一突出部と直交する方向に突出する第二突出部をさらに有し、
前記筐体は、前記挿入部を第一挿入部として、当該第一挿入部と直交する位置に第二挿入部をさらに有し、
前記蓋部材は、前記第一突出部が前記第一挿入部に挿入される第一の位置から、前記第一突出部が前記第一挿入部に沿って平行に摺動され、前記第二突出部が前記第二挿入部へ挿入される第二の位置まで移動すると、前記第一突出部が前記第一挿入部から抜出される方向への移動が規制されることを特徴とする請求項２に記載の携帯電子機器。
【請求項４】
前記筐体は、前記第二面と前記開口部の交差する辺に段差部を有し、
前記段差部は、前記挿入部と深さが等しく、前記第二蓋部が前記側面部を覆う際に前記突出部が載置されることを特徴とする請求項３に記載の携帯電子機器。
【請求項５】
前記外部出力部が表示部であり、
前記表示部は少なくとも前記開口部の側面側を底面として載置されると、前記表示部の表示画面が上方向へ向くことを特徴とする請求項３に記載の携帯電子機器。
【請求項６】
前記開口部は、電池収納室をさらに備え、
前記電池収納室は、充電端子をさらに備え、
前記充電端子は、前記蓋部材が前記第一の位置から前記第二の位置へ移動すると、前記蓋部材で覆われた状態から解除され、外部に露出することを特徴とする請求項３に記載の携帯電子機器。
【請求項７】
第1面およびその側面である第2面にわたって開口される部品（電池に限らない）収納室が設けられた筐体と、
略平板形状かつ前記部品収納室の前記第1面側を覆う第1部分、および前記部品収納室の前記第2面側を覆う第2部分を有し、前記部品収納室をカバーするよう前記筐体に取り付けられる蓋部材と、
を備え、
前記筐体の第一面には、前記カバーした状態に対して裏返した状態で前記第1部分を前記部品収納室に係合する係合部を有している
ことを特徴とする携帯電子機器。
【発明の詳細な説明】
【技術分野】
【０００１】
本発明は携帯電子機器に係り、特に携帯電話、携帯ゲーム機、ＴＶ、プロジェクタ、スピーカー、マイクなどの携帯可能な情報入出力装置である携帯電子機器に関する。
【背景技術】
【０００２】
近年、携帯電話や携帯ゲーム機などの携帯電子機器は、ＣＰＵやバッテリー容量などの性能の向上に伴って、デジタル放送によるテレビ放送や外部ネットワークから取得した動画などの映像データや音楽などの音声データを視聴することが可能となった。また、そのような時には携帯電子機器を直接、載置させて直立させるか、若しくは付属のスタンドによって直立させて視聴することが考えられる。スタンド構造を備えた携帯電子機器の例が特許文献１、特許文献２に示される。特許文献１では、携帯電話機本体の下部に配置された引き出し可能な外部入出力端子の保護カバーをスタンドとして利用した携帯電話機が示されている。また、特許文献２では、開閉可能な電池パックを支持部としてアンテナが上向きとなる方向へ直立させる携帯無線通信装置が示されている。
【先行技術文献】
【特許文献】
【０００３】
【特許文献１】特開２００１−１１１６６６号公報
【特許文献２】特開２００１−３５２３８１号公報
【発明の概要】
【発明が解決しようとする課題】
【０００４】
しかし、特許文献１に示された携帯電話機は、引き出し可能な保護カバーが別途必要である。また、特許文献２に示された携帯無線通信装置は、スタンド状態において電池パックが露出するため、衝撃によって電池パックが外れてしまうという問題がある。
【０００５】
本発明は上記の問題を解決するために、スタンドとして機能すると同時にカバーとしても機能する簡便な構造のカバーを備えた携帯電子機器を提供することを目的とする。
【課題を解決するための手段】
【０００６】
本発明は、外部入出力部を主面である第一面側に備え、前記第一面の背面側となる第二面及び側面にわたって延設された開口部を有する筐体と、前記開口部の第二面側を覆う略平板形状である第一蓋部、および前記開口部の側面側を覆う第二蓋部とからなる蓋部材と、を備え、前記第一蓋部は、内面側に前記開口部の第二面側において着脱可能に係合する第一係合部と、外面側に前記開口部の第二面側において着脱可能に係合する第二係合部と、を有し、前記第一蓋部は、前記第一係合部が前記開口部に係合すると前記第二蓋部が前記筐体の側面開口部を覆う一方で、前記第二係合部が前記開口部に係合すると、前記筐体が開口部側面側を底面として載置した際に、前記第一面と載置面とのなす角が直角よりも第二面側に傾いた状態で、前記第二蓋部が前記筐体を支持することを特徴とする。
【０００７】
また、前記第一蓋部の前記第二係合部は、前記第二蓋部と逆側に位置し、前記第二蓋部側の前記第一の蓋部より薄肉の突出部で形成されると共に、前記開口部の第二面側周縁部に、前記第一蓋部に対して平行で、前記突出部が挿入可能な挿入部を有し、前記第二蓋部は、前記突出部が前記挿入部に挿入されると、前記第一蓋部が前記開口部の第二面側を覆うことが好ましい。
【０００８】
さらに、前記第一蓋部は、前記突出部を第一突出部として、前記第一蓋部の片側面に前記第一突出部と直交する方向に突出する第二突出部をさらに有し、前記筐体は、前記挿入部を第一挿入部として、当該第一挿入部と直交する位置に第二挿入部をさらに有し、前記蓋部材は、前記第一突出部が前記第一挿入部に挿入される第一の位置から、前記第一突出部が前記第一挿入部に沿って平行に摺動され、前記第二突出部が前記第二挿入部へ挿入される第二の位置まで移動すると、前記第一突出部が前記第一挿入部から抜出される方向への移動が規制されることが好ましい。
【０００９】
さらに、前記筐体は、前記第二面と前記開口部の交差する辺に段差部を有し、前記段差部は、前記挿入部と深さが等しく、前記第二蓋部が前記側面部を覆う際に前記突出部が載置されることが好ましい。
【００１０】
さらに、前記外部出力部が表示部であり、前記表示部は少なくとも前記開口部の側面側を底面として載置されると、前記表示部の表示画面が上方向へ向くことが好ましい。
【００１１】
さらに、前記開口部は、電池収納室をさらに備え、前記電池収納室は、充電端子をさらに備え、前記充電端子は、前記蓋部材が前記第一の位置から前記第二の位置へ移動すると、前記蓋部材で覆われた状態から解除され、外部に露出することが好ましい。
【００１２】
第二の観点の発明の第1面およびその側面である第2面にわたって開口される部品（電池に限らない）収納室が設けられた筐体と、略平板形状かつ前記部品収納室の前記第1面側を覆う第1部分、および前記部品収納室の前記第2面側を覆う第2部分を有し、前記部品収納室をカバーするよう前記筐体に取り付けられる蓋部材と、を備え、前記筐体の第一面には、前記カバーした状態に対して裏返した状態で前記第1部分を前記部品収納室に係合する係合部を有している。
【発明の効果】
【００１３】
本発明に係る携帯電子機器は、スタンドとして機能すると同時にカバーとしても機能する簡便な構造のカバーを備えた携帯電子機器を提供することができる。
【図面の簡単な説明】
【００１４】
【図１】本発明の第一実施形態における携帯電話機の閉状態の背面斜視図（ａ）と正面斜視図（ｂ）である。
【図２】（ａ）は電池カバーが外れた携帯電子機器の背面図であり、（ｂ）は本発明の第一実施形態における携帯電子機器の電池カバーである。
【図３】（ａ）は図１（ａ）の携帯電話機におけるＡ−Ａ´断面図であり、（ｂ）は（ａ）の丸囲み部を拡大した図である。
【図４】（ａ）は第二筐体に対して突出するように側面カバー部３２を固定した携帯電話機であり、（ｂ）は（ａ）のＡ−Ａ´断面図で、（ｃ）はＢ−Ｂ´断面図である。
【図５】図４（ａ）における側面カバー部３２を支持部として載置させた携帯電話機である。
【図６】（ａ）は本発明の第二実施形態におけるスライド型携帯電話機の正面斜視図であり、（ｂ）は側面カバー部３２を支持部として載置させた背面斜視図である。
【図７】（ａ）は本発明の第三実施形態における電池収納室４０に充電端子４３を備えた携帯電話機の背面図であり、（ｂ）は側面カバー部３２を支持部として載置させた背面斜視図である。
【発明を実施するための形態】
【００１５】
以下、本発明の実施形態を添付図面に基づいて説明する。
本発明の第一実施形態である折り畳み型携帯電話機１００の基本構造を図１及び図２を参照しながら説明する。
【００１６】
図１は、本発明の実施に係る折り畳み型携帯電話機１００の閉状態の背面斜視図（ａ）と正面斜視図（ｂ）である。図２は、電池カバー３０を外した状態の携帯電話機１００の背面図（ａ）と電池カバー３０内側の斜視図（ｂ）である。
図１（ａ）、（ｂ）に示すように、本発明の第一実施形態に係る折り畳み型携帯電話機１００は第一筐体１０と、第二筐体２０と、第一筐体１０と第二筐体２０とを連結する連結部１と、電池カバー３０（蓋部材）と、２軸ヒンジユニット２と、を含んで構成されている。
【００１７】
第一筐体１０と第二筐体２０は、連結部１により開閉軸を中心に開閉可能（折り畳み可能）に連結される。２軸ヒンジユニット２は、開閉軸に加え、第一筐体１０と第二筐体２０とを開閉軸に対して直交する方向に回動する回転軸を有する機構部品である。この２軸ヒンジユニット２の回動により、表示部１１を、筐体を折りたたんだ状態で、外側及び内側に切替えることが可能である。なお、第一筐体１０の表示部１１が位置する面の反対面にはサブディスプレイ（図示略）などが設けられている。さらに、第一筐体１０と第二筐体２０とを折り畳んだときに第二筐体２０における内側になる面にはキー、マイクなどが設けられている。
【００１８】
次に、折り畳み型携帯電話機１００において、図２（ａ）に示すように、第二筐体２０におけるキー、マイクなどが設けられた面の反対面には、電池収納室４０が設けられている。具体的には、電池カバー３０で覆われる領域内に矩形状の開口部４１が第二筐体の背面から側面に回りこんで形成され、さらに電池５０を収納する領域の周縁部に４つのガイド孔４２が設けられている。なお、当然ながら開口部４１は電池５０を収納するために電池５０より大きく成型されている。
【００１９】
電池カバー３０は、図２（ｂ）に示されるように、背面カバー部（第一蓋部）３１、側面カバー部（第二蓋部）３２と、を含んで構成され、その断面が略Ｌ字型となるように形成されている。
【００２０】
背面カバー部３１は、平板かつ矩形形状であり、その内面（電池カバー３０を第二筐体２０に取り付けたときに電池を覆う面）に第一薄肉部３３、第二薄肉部３４、係合爪３５が形成され、さらに一辺（辺Ａとする）には側面カバー部３２が背面カバー部３１に連続するように形成されている。
【００２１】
また、背面カバー部３１には、第一薄肉部３３が、側面カバー部３２に連続する一辺（辺Ａ）の対辺（辺Ｂ）部分に形成されている。この第一薄肉部３３は、辺Ｂの全長に至っており、辺Ｂから辺Ａ側への長さａ分の領域にまで連続して形成されている。また、辺Ａ両端と辺Ｂ両端のそれぞれを結ぶ二つの辺のうちの一方である辺Ｃにも、第一薄肉部３３から連続される第二薄肉部３４が形成されている。第一薄肉部３３と第二薄肉部３４は厚さが等しく、背面カバー部３１の内面の他の領域より薄くなっている。
【００２２】
なお、辺Ａと平行な方向における側面カバー部３２の全長は辺Ａよりも短く、具体的には、辺Ａと辺Ｃが交差する位置近傍には設けられていない。
【００２３】
さらに、電池カバー３０には、背面カバー部３１の内面に係合爪３５が辺Ｂと平行に一定の距離でお互いに離間して２つずつ、合計して４つ突設されている。
【００２４】
電池カバー３０を正方向に装着する、すなわち電池カバー部の背面カバー部３１の内面（係合爪３５が設けられた面）を電池収納室４０に対して向き合わせるとともに、側面カバー部３２の内面（係合爪３５に面している面）を電池収納室４０の側面側に向き合わせると、４つの係合爪３５が４つのガイド孔４２に挿入されて第一係合部となり、図１のように電池カバー３０の背面カバー部３１と側面カバー部３２が電池収納室４０の背面部と側面部を覆うように固定される。
【００２５】
なお、第一係合部は、係合爪３５とガイド孔４２の位置と数に限定されるものではない。また、係合爪３５とガイド孔４２による第一係合部の例として、背面カバー部３１の厚さ方向への挿入固定を示したが、これに限定されるものではなく、水平方向（背面カバー部の板面と平行な方向）への挿入固定となるような構成でもよい。
【００２６】
図３（ａ）は、図１の携帯電話機のＡ−Ａ´断面図であり、電池カバー３０の部分を斜線で表したものである。
【００２７】
図３（ａ）において、電池収納室４０の周縁部における筐体表面側には、電池カバー３０の辺Ａ・Ｃと平行に設けられたガイド溝２１が形成されている。また、同じく電池収納室４０の周縁部における、筐体内部側には電池カバー３０の辺Ａ・Ｃと平行な段形状により第一挿入部２２が形成されている。なお、背面カバー部３１の厚さ方向と平行な方向における第二筐体２０のガイド溝２１の深さと、同方向におけるガイド溝の深さは略等しくなっている。
【００２８】
このため、電池カバー３０が電池収納室４０の背面部と側面部を覆うように正方向に固定される際、第一薄肉部３３（第一突出部）がガイド溝２１に載置されて、電池カバー３０の背面カバー部３１の外面と第二筐体２０の背面部は連続した平面を構成する。また、図４（ｂ）において後述するが、第一薄肉部３３の厚さと第一挿入部２２の厚さは等しく設けられており、側面カバー部３２が第二筐体２０に対して正方向のときと逆側に突出している状態（逆方向）で電池カバー３０が電池収納室４０上を覆って、ａ１の方向へ摺動されると、第一薄肉部３３が第一挿入部２３内に入り込むことになる。
【００２９】
図３（ｂ）は、図３（ａ）における第一薄肉部３３がガイド溝２１に載置されている丸囲み部分の拡大図である。
【００３０】
図３（ｂ）において、第一薄肉部３３の先端から段差までの長さをａ、電池収納室４０側における周縁部から第一挿入部２２の段差までの長さをｂ、同じく周縁部からガイド溝２１の段差までの長さをｃで表している。第一薄肉部３３の長さａはガイド溝２１の長さｃより長い（ａ＞ｃ）ため、第一薄肉部３３の先端からｃの長さに至る部分がガイド溝２１に載置されている。
【００３１】
また、第一挿入部２２は第一薄肉部３３より長いか若しくは長さが等しい（ｂ≧ｃ）ため、側面カバー部３２が第二筐体２０に対して逆側に突出している状態（逆方向装着状態）で電池カバー３０がｂ１の方向へ移動されると、第一薄肉部のほぼ全て（ａの長さ）が第一挿入部に挿入されることになる。その時、図３（ｂ）に示した第一薄肉部３３がガイド溝２１に載置された状態に比べて、ａ−ｃの長さだけａ１の方向へ電池カバー３０が移動する。
【００３２】
第一挿入部２２と同様に電池収納室４０の周縁部において、第一挿入部２２の端部と同一平面状に連続して電池カバー３０の辺Ｃと平行な段形状により第二層入部２３が形成されている。第二挿入部２３は、電池カバー３０の辺Ｃと長さが等しく、第二薄肉部３４と厚さが等しくなっている。
【００３３】
図４は、側面カバー部３２が第二筐体２０に対して逆向きに突出するように（すなわち逆方向装着状態で）、電池カバー３０が固定された携帯電話機の背面図（ａ）と、（ａ）における携帯電話機のＡ−Ａ´断面図（ｂ）と、（ａ）における携帯電話機のＢ−Ｂ´断面図（ｃ）である。
【００３４】
図４（ａ）において、第二筐体２０の筐体内部側に設けられた第一挿入部２２と第二挿入部２３が同一の斜線で表され、第一挿入部２２は第二筐体２０の側面部と平行に設けられ、第二挿入部２３は第二筐体２０の側面部と交差する位置に設けられている。
【００３５】
第一挿入部２２は、挿入深さが第一薄肉部３３の厚さとほぼ等しく、辺の長さが背面カバー部３１の辺Ｂとほぼ等しくなるように構成されている。
【００３６】
第二挿入部２３は、第一挿入部２２の端部と連続して直交方向に位置し、挿入深さが第二薄肉部３４（第二突出部）とほぼ等しく、辺の長さが背面カバー部３１の辺Ｃとほぼ等しくなるように構成されている。
【００３７】
図４（ｂ）において、背面カバー３１の外面は、電池収納室４０の背面部に接触して設置され、第一薄肉部３３が第一挿入部２２と対向した向きで電池カバー３０がｂ１の方向へ移動することで、第一薄肉部３３が第一挿入部２３に挿入される。電池カバー３０が第一筐体２０に対する逆方向への移動が規制されることに
よって、電池カバー３０は電池収納室４０の背面部を覆い、第二筐体２０への衝撃によって容易に電池５０が外れることを防止できる。
【００３８】
また、図４（ｃ）において、図４（ｂ）における電池カバー３０の第一薄肉部３３が第一挿入部２２に挿入された状態から、第一挿入部２２に沿って、ｂ１の方向と直交するｃ１の方向へ移動することで、第二薄肉部３４が第二挿入部２３に挿入される。
第二薄肉部３４が第二挿入部２３へ挿入されると、第二薄肉部３４と第二挿入部２３の厚さはほぼ等しいため、第二の薄肉部３４の表面と第二挿入部２３孔内面との挿入方向ｂ１と逆方向の摩擦力が生じることで、ｃ１の逆方向への移動が規制され、電池カバー３０が電池収納室４０と接した状態で固定される。
【００３９】
また、電池カバー３０に対し、ｂ１の逆方向へ付勢された場合、第二挿入部２３のｂ１方向と逆側の端部によってｂ１と逆方向への移動が規制される。
【００４０】
それによって、第二薄肉部３４が第二挿入部３４に挿入される前に比べて第一筐体２０と逆方向への移動がさらに規制され、側面カバー部３２を載置される際に衝撃が生じても容易に電池カバー３０が外れなくなるため、電池５０の脱落を防止できる。
【００４１】
図５は、図４（ａ）の折り畳み型携帯電話機１００において、第二筐体２０に対して反対側に突出した電池カバー３０の側面カバー部３２を底面として載置された状態の背面斜視図である。
【００４２】
図５において、電池カバー３０の側面カバー部３２が載置され、第一筐体１０と載置面とのなす角度が直角よりも第二筐体２０側にわずかに傾いた状態で保持されている携帯電話機１００を示す。
【００４３】
側面カバー部３２は、図４（ａ）に示したように、電池カバー３０の側面カバー３２が第二筐体２０の側面部より筐体内側に位置するため、第一筐体１０が斜め上方向に向いた状態で維持するための支持部となる。斜め上方向とは、第一筐体と載置面とのなす角度が直角よりも第二筐体２０側にわずかに傾いた状態であることを意味する。
【００４４】
第一筐体１０が斜め上方向に向いた状態で維持されることで、図１より第一筐体１０に備えられた表示部１１に表示される画面が見やすく、また図１には記載していないが、第一筐体１０の内側及び外側に備えられたスピーカーによって出力される音声の視聴や同じく備えられたマイクによる音声入力が行いやすくなるといった効果が生じる。
【００４５】
第一筐体と載置面がなす角度は電池カバー３０の側面カバー部３２の長さと、電池カバー３０の背面カバー部３１と側面カバー部３２とのなす角度によって変化するため、側面カバー部３２の長さおよび電池カバー３０の背面カバー部３１と側面カバー部３２とのなす角度は本実施形態に限定されない。また、突出している電池カバー３０の側面カバー部３２の外側に摩擦力の高い滑り止めを設けることで、載置部が滑りやすい面においても横滑りを防止できる。
【００４６】
図１から図５までは、折り畳み型携帯電話機１００を実施例として示したが、図５と同様の第一筐体１０と、第二筐体２０と、第二筐体２０の背面部及び側面部の一部から構成される電池収納室４０と、電池収納室４０を覆う電池カバー３０を備えたスライド型携帯電話機２００を本発明の第二の実施例として図６に示す。図６は、スライド型携帯電話機２００の第二筐体２０と反対側に突出した電池カバー３０の側面カバー部３２を載置させた際の正面斜視図（ａ）と背面斜視図（ｂ）である。
【００４７】
スライド型携帯電話機２００は、図６（ａ）において、第一筐体１０の外側に表示部１１を有し、さらに図６（ｂ）において、第二筐体２０の背面部と、側面部の一部から構成される電池収納室４０と、電池収納室４０を覆う電池カバー３０と、から構成されている。また、電池収納室４０の側面部は表示部１１の向きに対して逆側の端部に位置する。
【００４８】
図７は、本発明の第３の実施形態を示す図であり、第一実施形態の携帯電話機１００にさらに背面部に充電端子４２を設けた携帯電話機１００の背面図（ａ）と、背面斜視図（ｂ）である。
電池収納室４０の端部に充電端子４２を設け、背面向きに電池カバー３０を第二筐体２０における第一挿入部２３と第二挿入部２４により固定された携帯電話機１００の背面図（ａ）と、電池カバー３０の側面カバー部３２を支持部として載置された携帯電話機１００の斜視図（ｂ）である。
【００４９】
図７（ａ）において、充電端子４２は第二挿入部２４に対して逆側の電池収納室４０の端部に備えられている。
【００５０】
まず、図４（ａ）に示すように、側面カバー部３２を第二筐体２０と逆方向に突出した状態で、電池カバー３０をｂ１の方向に移動して第一挿入部２３に第一薄肉部３３が挿入された状態では、充電端子４２は電池カバー３０の背面に位置し、露出していない状態である。
次に、図４（ａ）において、電池カバー３０が第一挿入部２３に沿ってｃ１の方向へ移動し、第二薄肉部３４が第二挿入部２４に挿入されると、図７（ａ）に示すように充電端子４２は電池カバー３０の背面から脱し、露出されている状態である。
図７（ｂ）において、図５に示されるように側面カバー部３２が載置された携帯電話機１００がスタンド状態においても充電端子４２によって背面側から充電が可能である。
【００５１】
なお、上述した実施の形態においては電池カバー３０をスタンドとして利用していたが、これに限定されるものでは無く、例えば、ＳＤカード等のデータカードのカバーをスタンドとしても利用可能である。
【００５２】
また、厚さに対して幅の広い第一薄肉部３３及び第二薄肉部３４は電池カバー３０の背面カバー部３１に対して平行な四角形の形状を有していたが、これに限定される物では無く、例えば、一定の間隔で設けられた長さが厚さと等しい複数の薄肉部でも適用可能である。
【符号の説明】
【００５３】
１  連結部
２  ２軸ヒンジユニット
１０  第一筐体
１１  表示部
２０  第二筐体
２１  ガイド溝
２２  第一挿入部
２３  第二挿入部
３０  電池カバー
３１  背面カバー部
３２  側面カバー部
３３  第一薄肉部
３４  第二薄肉部
３５  係合爪
４０  電池収納室
４１  開口部
４２  ガイド孔
４３  充電端子
５０  電池
１００  折り畳み型携帯電話機
２００  スライド型携帯電話機
【図１】
2011071889.tif 000003
【図２】
2011071889.tif 000004
【図３】
2011071889.tif 000005
【図４】
2011071889.tif 000006
【図５】
2011071889.tif 000007
【図６】
2011071889.tif 000008
【図７】
2011071889.tif 000009